(57)【要約】【課題】大きな積上荷重が作用しても、外見上目立つ変形が生じないようにする。【解決手段】各一対の側板１及び端板２を縦方向の稜線を介して連設し、側板１及び端板２の上辺及び下辺に外フラップ３及び内フラップ４をそれぞれ横方向の稜線となるフラップ罫線５を介して連設した段ボール箱において、前記各一対の側板１及び端板２の上部及び下部のうち、少なくともいずれか一対のものには、コーナー部からフラップ罫線５に沿って内側へ間隔をあけた位置を起点として側板１又は端板２の中央部方向へ延びる斜罫線７を入れ、フラップ罫線５から斜罫線７の内側に及ぶ範囲に段潰部９を形成し、前記外フラップ３及び内フラップ４には、フラップ罫線５上の斜罫線７の起点間の部分から段潰部１０を形成する。また、上下の斜罫線７の間に亘って、中間部が縦方向の稜線に接近する方向へ湾曲する弧状罫線１２を入れる。【選択図】図３
2015131648.tif 000002
【特許請求の範囲】
【請求項１】
各一対の側板(1)及び端板(2)を縦方向の稜線を介して連設し、側板(1)及び端板(2)の上辺及び下辺に外フラップ(3)及び内フラップ(4)をそれぞれ横方向の稜線となるフラップ罫線(5)を介して連設した段ボール箱において、前記各一対の側板(1)及び端板(2)の上部及び下部のうち、少なくともいずれか一対のものには、コーナー部からフラップ罫線(5)に沿って内側へ間隔をあけた位置を起点として側板(1)又は端板(2)の中央部方向へ延びる斜罫線(7)を入れ、フラップ罫線(5)から斜罫線(7)の内側に及ぶ範囲に段潰部(9)を形成し、前記外フラップ(3)及び内フラップ(4)には、フラップ罫線(5)上の斜罫線(7)の起点間の部分から段潰部(10)を形成したことを特徴とする段ボール箱。
【請求項２】
前記各一対の側板(1)及び端板(2)のうち、少なくともいずれか一対のものには、上下の斜罫線(7)の間に亘って、中間部が縦方向の稜線に接近する方向へ湾曲する弧状罫線(12)を入れたことを特徴とする請求項１に記載の段ボール箱。
【発明の詳細な説明】
【技術分野】
【０００１】
この発明は、積上荷重による胴膨れ対策を施した段ボール箱に関するものである。
【背景技術】
【０００２】
従来、下記特許文献１には、図６に示すような段ボール箱が記載されている。この段ボール箱は、側板５１及び端板５２を縦方向の稜線を介して連設し、一対の側板５１に外フラップ５３を、一対の端板５２に内フラップ５４を、それぞれ横方向の稜線となるフラップ罫線５５を介して連設し、フラップ罫線５５を軸に内フラップ５４と外フラップ５３とを順次折り重ね、物品を梱包する溝切型のものである。
【０００３】
この段ボール箱では、積上時における耐圧強度向上のため、外フラップ５３のフラップ罫線５５よりも内フラップ５４のフラップ罫線５５を低い位置に入れ、外フラップ５３のフラップ罫線５５の下側に、段ボールの中芯を押し潰した段潰部５６を形成して、この部分で段ボールの強度を弱めている。
【０００４】
これにより、流通過程での輸送・保管時に積上荷重が作用した場合、端板５２よりも段潰部５６が先に変形し、外フラップ５３と内フラップ５４とが完全に重なり合い、端板５２のみならず、側板５１でも荷重を受け止めるようにして、耐圧強度の向上を図ろうとするものである。
【先行技術文献】
【特許文献】
【０００５】
【特許文献１】特許第４２５３２２３号公報
【発明の概要】
【発明が解決しようとする課題】
【０００６】
しかしながら、上記のような段ボール箱では、段潰部５６が吸収できる荷重を超えた大きな荷重が作用すると、側板５１及び端板５２が樽状に変形する胴膨れが生じることとなり、梱包した物品の変形が疑われ、荷受人が受け取りを拒否したり、返品したりする恐れがある。
【０００７】
そこで、この発明は、大きな積上荷重が作用しても、外見上目立つ変形が生じないようにすることを課題とする。
【課題を解決するための手段】
【０００８】
上記課題を解決するため、この発明は、各一対の側板及び端板を縦方向の稜線を介して連設し、側板及び端板の上辺及び下辺に外フラップ及び内フラップをそれぞれ横方向の稜線となるフラップ罫線を介して連設した段ボール箱において、前記各一対の側板及び端板の上部及び下部のうち、少なくともいずれか一対のものには、コーナー部からフラップ罫線に沿って内側へ間隔をあけた位置を起点として側板又は端板の中央部方向へ延びる斜罫線を入れ、フラップ罫線から斜罫線の内側に及ぶ範囲に段潰部を形成し、前記外フラップ及び内フラップには、フラップ罫線上の斜罫線の起点間の部分から段潰部を形成したのである。
【０００９】
また、前記各一対の側板及び端板のうち、少なくともいずれか一対のものには、上下の斜罫線の間に亘って、中間部が縦方向の稜線に接近する方向へ湾曲する弧状罫線を入れたのである。
【発明の効果】
【００１０】
この発明に係る段ボール箱では、側板と端板とが直角に隣り合い強度に優れたコーナー部付近に、段ボールの厚さが減少した段潰部がなく、積み上げ時には、このコーナー部付近で優先的に荷重を受け止めるので、積上荷重に対する耐圧強度が確保され、胴膨れが生じにくい。
【００１１】
また、大きな積上荷重が作用した場合には、弧状罫線での折れ曲がりに伴い、弧状罫線の間の部分が内側へ反るように変形するため、胴膨れが生じた場合のように、変形が目立つことがない。
【図面の簡単な説明】
【００１２】
【図１】この発明の実施形態に係る段ボール箱のブランクを示す図
【図２】同上の物品梱包に伴う組立過程を示す斜視図
【図３】同上の組立状態を示す斜視図
【図４】同上の段ボール箱の積上状態を示す立面図
【図５】（ａ），（ｂ），（ｃ）同上の斜罫線等の他例を示す部分拡大図
【図６】従来の耐圧強度改善を図った段ボール箱の組立過程を示す斜視図
【発明を実施するための形態】
【００１３】
以下、この発明の実施形態を添付図面に基づいて説明する。
【００１４】
この段ボール箱は、大容量の飲料入りペットボトルの梱包に使用する溝切型のものであり、図１に示すように、段ボールの中芯の段頂が延びる段目方向を縦方向へ向けたブランクから形成される。
【００１５】
このブランクでは、各一対の側板１及び端板２が縦方向の稜線となる罫線を介して交互に連設され、一対の側板１の上辺及び下辺には外フラップ３が、一対の端板２の上辺及び下辺には内フラップ４が、それぞれ横方向の稜線となるフラップ罫線５を介して連設されている。一方の端部に位置する側板１の外側辺には、継代片６が連設されている。
【００１６】
各一対の側板１及び端板２の上部及び下部には、コーナー部からフラップ罫線５に沿って内側へ間隔をあけた位置を起点として、側板１及び端板２の中央部方向へ延びる斜罫線７が入れられている。側板１の両側の斜罫線７の内端間には、水平な中間罫線８が入れられ、端板２の両側の斜罫線７は、内端が突き合わされてＶ字状とされている。斜罫線７及び中間罫線８は、段ボールを内側から押圧した押罫線とされている。
【００１７】
また、各一対の側板１及び端板２の上部及び下部には、それぞれフラップ罫線５から斜罫線７の内側に及ぶ範囲に、段ボールを中芯が潰れるように裏面側から押圧した段潰部９が形成されている。
【００１８】
また、外フラップ３及び内フラップ４の基部には、段潰部９と同様にして、フラップ罫線５上の斜罫線７の起点間の部分に帯状の段潰部１０が形成されている。さらに、内フラップ４には、段潰部１０に連続して、内部の高さ方向の段差抑制のため、先端側へ全幅に亘る段潰部１１が形成されている。
【００１９】
さらに、各一対の側板１及び端板２には、それぞれ上下の斜罫線７の内端間又は途中部分に亘って、中間部が縦方向の稜線をなす側端辺に接近する方向へ湾曲する弧状罫線１２が入れられ、弧状罫線１２もまた、段ボールを内側から押圧した押罫とされている。一対の端板２の中間上部には、押し込みに伴い開口する取手部１３が設けられている。
【００２０】
このようなブランクから段ボール箱を組み立てるには、各一対の側板１及び端板２を縦方向の稜線となる罫線に沿って折り曲げ、継代片６を反対側の端板２に貼り付ける。
【００２１】
そして、ペットボトルの梱包に際し、図２に示すように、各一対の側板１及び端板２を角筒状として、その下辺のフラップ罫線５を軸に内フラップ４と外フラップ３とを順次折り重ね、接着剤又はテープで固定して、底面を閉じた状態とし、天面の開口からペットボトルを箱内に収納する。
【００２２】
その後、図３に示すように、各一対の側板１及び端板２の上辺のフラップ罫線５を軸に内フラップ４と外フラップ３とを順次折り重ね、接着剤又はテープで固定して、天面を閉じると、封緘状態となって、梱包が完了する。
【００２３】
このように梱包した段ボール箱を輸送・保管等に際して積み上げる場合には、例えば、図４に示すように、下段側と上段側とでコーナー部の位置が一致するようにして、段ボール箱を積み重ねる。
【００２４】
上記のような段ボール箱では、側板１と端板２とが直角に隣り合い強度に優れたコーナー部付近に、段ボールの厚さが減少した段潰部９，１０がなく、積み上げ時には、このコーナー部付近で優先的に荷重を受け止めるので、積上荷重に対する耐圧強度が確保され、胴膨れが生じにくい。
【００２５】
また、大きな積上荷重が作用した場合には、弧状罫線１２での折れ曲がりに伴い、弧状罫線１２の間の部分が内側へ反るように変形するため、胴膨れが生じた場合のように、変形が目立つことがない。
【００２６】
なお、上記実施形態では、斜罫線７が斜め方向の直線となったものを例示したが、図５（ａ）に示すように、弧状の斜罫線７が連続するものや、図５（ｂ）に示すように、弧状の斜罫線７の間に水平な中間罫線８が介在するものとしてもよい。また、図５（ｃ）に示すように、中間罫線８を弧状としてもよい。
【００２７】
また、側板１において、斜罫線７の間に中間罫線８が介在するものを例示したが、中間罫線８を省略し、斜罫線７の間の端縁が直線をなす段潰部９のみを形成してもよい。
【００２８】
さらに、側板１及び端板２において、斜罫線７の間に中間罫線８が介在するものと斜罫線７がＶ字状をなすものとを組み合わせて例示したが、側板１と端板２の寸法比率等に応じて、これらのいずれか一方の形態のみを採用してもよい。
【００２９】
また、各一対の側板１及び端板２の上部及び下部にそれぞれ斜罫線７を入れたものを例示したが、これらは各一対の側板１及び端板２のうち、いずれか一対のものだけに入れるようにしてもよく、その上部及び下部のうち、いずれか一方だけに入れるようにしてもよい。そして、段潰部９，１０は、これに付随して形成するとよい。
【００３０】
また、弧状罫線１２は、円弧だけからなるものを例示したが、短い直線を弧状に連続させたものとしてもよい。ただし、直線が単にＶ字状をなすものや、上下方向の両端部が円弧状で中間部分が直線のものは含まない。
【００３１】
また、各一対の側板１及び端板２にそれぞれ弧状罫線１２を入れたものを例示したが、弧状罫線１２は、段ボール箱の形態や材料、梱包する物品の重量等を考慮して、必ずしも入れる必要はない。弧状罫線１２を入れる場合は、各一対の側板１及び端板２のうち、少なくともいずれか一対のものに入れればよい。
【００３２】
そのほか、内フラップ４の大部分に段潰部１１を形成したものを例示したが、内フラップ４には、梱包するペットボトルの底面外周部やキャップ部と接触する部分だけに段潰部１１を形成してもよい。また、段潰部１１を省略してもよい。
【符号の説明】
【００３３】
１  側板
２  端板
３  外フラップ
４  内フラップ
５  フラップ罫線
６  継代片
７  斜罫線
８  中間罫線
９，１０，１１  段潰部
１２  弧状罫線
１３  取手部
【図１】
2015131648.tif 000003
【図２】
2015131648.tif 000004
【図３】
2015131648.tif 000005
【図４】
2015131648.tif 000006
【図５】
2015131648.tif 000007
【図６】
2015131648.tif 000008